(57)【要約】  ホッパー内に堆積した塵芥にコンベアが接触するのを防止して、かつ、ホッパーの容量を有効に利用可能にする。上部開口（２Ａ）を有するカップ状でコンベア（１０４）で搬送された塵芥（１００）が上部開口（２Ａ）から落下して収容されるホッパー（２）の底部に配設され、展開収縮が自在なガイド体（３）と、ガイド体（３）を展開収縮させるエアコンプレッサ（４）と、を備え、ガイド体（３）は、展開すると略山形状となり、コンベア（１０４）から落下した塵芥（１００）をホッパー（２）の側面（２１）側に案内し、収縮するとホッパー（２）の底部にほぼ沿った平坦な状態となる。
2017119053.tif 000002
【特許請求の範囲】
【請求項１】
上部開口を有するカップ状でコンベアで搬送された固形物が前記上部開口から落下して収容されるホッパーの底部に配設され、展開収縮が自在なガイド体と、  前記ガイド体を展開収縮させる駆動機構と、を備え、  前記ガイド体は、展開すると略山形状となり、前記コンベアから落下した固形物を前記ホッパーの側面側に案内し、収縮すると前記ホッパーの底部にほぼ沿った平坦な状態となる、ことを特徴とする固形物収容ホッパー用ガイド装置。
【請求項２】
前記ガイド体は、展開した状態で頂部が、前記コンベアから落下する固形物のほぼ真下に位置する、ことを特徴とする請求項１に記載の固形物収容ホッパー用ガイド装置。
【請求項３】
前記ガイド体は、傾斜角が異なる複数の略山形状に展開可能となっている、ことを特徴とする請求項１または２のいずれか１項に記載の固形物収容ホッパー用ガイド装置。
【請求項４】
前記ホッパーに配設され、前記ホッパー内の前記固形物の収容状態を検知する検知部を備え、  前記駆動機構は、前記検知部の検出結果に基づいて前記ガイド体を展開収縮させる、ことを特徴とする請求項１から３のいずれか１項に記載の固形物収容ホッパー用ガイド装置。
【請求項５】
前記ガイド体は、流体の流入流出によって展開収縮が自在で、  前記駆動機構は、前記ガイド体に流体を供給する流体源で構成されている、ことを特徴とする請求項１から４のいずれか１項に記載の固形物収容ホッパー用ガイド装置。
【請求項６】
上部開口を有するカップ状でコンベアで搬送された固形物が前記上部開口から落下して収容されるホッパーを有する固形物収容ホッパー設備であって、  請求項１から５のいずれか１項に記載の固形物収容ホッパー用ガイド装置を備えたことを特徴とする固形物収容ホッパー設備。
【発明の詳細な説明】
【技術分野】
【０００１】  この発明は、塵芥などの固形物をホッパー内に収容、収集するための固形物収容ホッパー用ガイド装置および、このガイド装置を備えた固形物収容ホッパー設備に関する。
【背景技術】
【０００２】  例えば、発電所の取水口には、発電機の出力が低下するのを防止するために、取水スクリーンが設置され、ゴミや流木などの塵芥が発電取水に混入しないようにしている。そして、取水スクリーンに滞留した塵芥を除塵機によって取り除き（掻き揚げ）、取り除いた塵芥はコンベアでホッパー（収容ボックス）に運ばれて、ホッパー内に落下、収容される（例えば、特許文献１参照。）。その後、ホッパー内の塵芥が一定量溜まると、分別して都度搬出している。
【先行技術文献】
【特許文献】
【０００３】
【特許文献１】特開平０５−２６３４１０号公報
【発明の概要】
【発明が解決しようとする課題】
【０００４】  ところで、コンベアで運ばれた塵芥は、ホッパーの開口上部から落下されて収容されるため、ホッパー内に山積み（山なり）の状態となり、中央部（コンベアからの落下箇所の真下）が高くなる。このため、コンベアの先端部が塵芥に接触してコンベアが故障、運転停止するおそれがある。そして、コンベアが故障すると、除塵機で取り除いた塵芥を移動、搬送できなくなり、除塵機での除塵が行えなくなって、結果的に発電取水ができなくなる。このため、塵芥の堆積状況を常に目視確認する必要があった。【０００５】  さらに、コンベアが塵芥に接触するのを防止したり、ホッパーの収容体積・容量を最大限利用したりするために、山積みになった塵芥を人力で熊手などを使用して平坦にする必要があった。殊に出水時には、上流河川からの塵芥の流入量が増加するため、ホッパー内の監視や平坦化作業などを頻繁に行う必要があった。このため、多大な時間と労力を要するばかりでなく、休日や夜間に作業員を確保することが困難であり、また、作業員の安全面や健康面での考慮・ケアが必要であった。【０００６】  そこでこの発明は、ホッパー内に堆積した固形物にコンベアが接触するのを防止して、かつ、ホッパーの容量を有効に利用可能にする、固形物収容ホッパー用ガイド装置および固形物収容ホッパー設備を提供することを目的とする。
【課題を解決するための手段】
【０００７】  上記課題を解決するために、請求項１に記載の発明は、上部開口を有するカップ状でコンベアで搬送された固形物が前記上部開口から落下して収容されるホッパーの底部に配設され、展開収縮が自在なガイド体と、前記ガイド体を展開収縮させる駆動機構と、を備え、前記ガイド体は、展開すると略山形状となり、前記コンベアから落下した固形物を前記ホッパーの側面側に案内し、収縮すると前記ホッパーの底部にほぼ沿った平坦な状態となる、ことを特徴とする固形物収容ホッパー用ガイド装置である。【０００８】  この発明によれば、ガイド体が展開した状態では、コンベアから落下した固形物がホッパーの側面側に案内され、ホッパーの側面側（外周側）に固形物が堆積する。次に、ガイド体が収縮してホッパーの底部にほぼ沿った平坦な状態となると、ホッパーの側面側に堆積していた固形物の一部がガイド体の頂部に位置する部分に流れて、その部分が窪んで固形物が堆積した状態となる。続いて、コンベアから固形物が落下すると、窪んだ部分に固形物が堆積して、ホッパー内に固形物が平均的に（高さの偏りがなくほぼ平坦に）堆積される。【０００９】  請求項２に記載の発明は、請求項１に記載の固形物収容ホッパー用ガイド装置において、前記ガイド体は、展開した状態で頂部が、前記コンベアから落下する固形物のほぼ真下に位置する、ことを特徴とする。【００１０】  請求項３に記載の発明は、請求項１または２に記載の固形物収容ホッパー用ガイド装置において、前記ガイド体は、傾斜角が異なる複数の略山形状に展開可能となっている、ことを特徴とする。【００１１】  請求項４に記載の発明は、請求項１から３に記載の固形物収容ホッパー用ガイド装置において、前記ホッパーに配設され、前記ホッパー内の前記固形物の収容状態を検知する検知部を備え、前記駆動機構は、前記検知部の検出結果に基づいて前記ガイド体を展開収縮させる、ことを特徴とする。【００１２】  請求項５に記載の発明は、請求項１から４に記載の固形物収容ホッパー用ガイド装置において、前記ガイド体は、流体の流入流出によって展開収縮が自在で、前記駆動機構は、前記ガイド体に流体を供給する流体源で構成されている、ことを特徴とする。【００１３】  請求項６に記載の発明は、上部開口を有するカップ状でコンベアで搬送された固形物が前記上部開口から落下して収容されるホッパーを有する固形物収容ホッパー設備であって、請求項１から５のいずれか１項に記載の固形物収容ホッパー用ガイド装置を備えたことを特徴とする。
【発明の効果】
【００１４】  請求項１、６の発明によれば、ガイド体を展開させたり収縮させたりすることで、ホッパー内に固形物が平均的に堆積されるため、堆積した固形物にコンベアが接触するのを防止することができ、かつ、ホッパーの容量を有効に利用することができる。また、ホッパー内の固形物の堆積状況を監視したり、山積みになった固形物を人力で平坦化したりする必要がなく、作業員の作業時間と労力を著しく軽減することができる。【００１５】  請求項２の発明によれば、ガイド体が展開した状態で、その頂部がコンベアから落下する固形物のほぼ真下に位置するため、コンベアから落下した固形物がホッパーの全側面側に平均的に案内され、固形物がホッパー内の外周側に平均的に堆積する。この結果、固形物をホッパー内により平均的に堆積させることが可能となる。【００１６】  請求項３の発明によれば、傾斜角が異なる複数の略山形状にガイド体が展開可能なため、固形物の種類や堆積状態などに応じてガイド体の傾斜角を変えることで、固形物をホッパー内により平均的に堆積させることが可能となる。【００１７】  請求項４の発明によれば、検知部で検出された固形物の収容状態（堆積状態）に基づいて、駆動機構によってガイド体が自動的に展開収縮されるため、作業員が固形物の収容状態を見てガイド体を展開収縮させる必要がない。この結果、作業員の作業時間と労力を軽減することができるとともに、適正なタイミングでガイド体を展開収縮させて、固形物をホッパー内により平均的に堆積させることが可能となる。【００１８】  請求項５の発明によれば、流体源で構成された駆動機構からガイド体に流体を供給して、ガイド体に対して流体を流入流出させるだけでガイド体が展開収縮するため、ガイド体の展開収縮を適正かつ迅速、容易に制御することが可能となる。しかも、駆動機構を流体源で構成してガイド体に流体を流入流出させるだけでよいため、簡易に構成することができ、設備費や保守費を低減することが可能となる。
【図面の簡単な説明】
【００１９】
【図１】この発明の実施の形態１に係る固形物収容ホッパー用ガイド装置および、この固形物収容ホッパー用ガイド装置を備えた固形物収容ホッパー設備を示す平面図（ａ）と正面図（ｂ）である。
【図２】図１の固形物収容ホッパー用ガイド装置が適用される発電所の除塵設備周辺を示す図である。
【図３】図１の固形物収容ホッパー用ガイド装置のガイド体が展開した使用状態を示す概念図である。
【図４】図１の固形物収容ホッパー用ガイド装置のガイド体が収縮した使用状態を示す概念図である。
【図５】この発明の実施の形態２に係る固形物収容ホッパー用ガイド装置および、この固形物収容ホッパー用ガイド装置を備えた固形物収容ホッパー設備を示す正面図（ガイド体内は断面図）である。
【図６】図５の固形物収容ホッパー用ガイド装置のガイド体が収縮した状態を示す正面図（ガイド体内は断面図）である。
【発明を実施するための形態】
【００２０】  以下、この発明を図示の実施の形態に基づいて説明する。
【００２１】  （実施の形態１）  図１〜図４は、この実施の形態を示し、図１は、この実施の形態に係る固形物収容ホッパー用ガイド装置１および、この固形物収容ホッパー用ガイド装置１を備えた固形物収容ホッパー設備１０を示す平面図（ａ）と正面図（ｂ）である。この固形物収容ホッパー用ガイド装置１は、固形物をホッパー２内に適正に収容、収集するための装置であり、主として、ガイド体３と、エアコンプレッサ（駆動機構）４と、距離センサ（検知部）５と、を備えている。
【００２２】  ここで、この実施の形態では、固形物がゴミや流木などの塵芥１００の場合について、主として説明する。すなわち、図２に示すように、発電所の取水口１０１に取水スクリーン１０２が設置され、この取水スクリーン１０２の上方に除塵機１０３が設置されている。また、コンベア１０４の基端部１０４ａが除塵機１０３に隣接し、先端部１０４ｂ側が上方に向かうようにコンベア１０４が設置され、コンベア１０４の先端部１０４ｂの下方にホッパー２が設置されている。このホッパー２は、支持柱２０によって地面よりも上方に設置されている。
【００２３】  そして、取水スクリーン１０２に滞留した塵芥１００が除塵機１０３によって取り除けられ（掻き揚げられ）、取り除かれた塵芥１００はコンベア１０４に載せられる。続いて、塵芥１００は、コンベア１０４でホッパー２に運ばれて、ホッパー２内に落下、収容される。その後、ホッパー２内の塵芥１００が一定量溜まると、例えば、流木などの一般廃棄物とビンや缶などの産業廃棄物とに分別して、トラックで都度搬出する。
【００２４】  ホッパー２は、上部開口２Ａを有するカップ状で、コンベア１０４で搬送された塵芥１００が上部開口２Ａから落下して収容される収容ボックスである。このホッパー２は、図１に示すように、この実施の形態では、平面形状が略正方形の立方体状で、１つの側面（側壁）２１に塵芥１００を取り出すための開閉扉（図示せず）が設けられ、底部は平坦（平面）状になっている。また、ホッパー２は、平面上のほぼ中央部に塵芥１００が落下するように配置されている。
【００２５】  ガイド体３は、ホッパー２の底部に配設され、展開・膨張および収縮が自在で、展開すると略山形状となり、コンベア１０４から落下した塵芥１００をホッパー２の側面２１側に案内し、収縮するとホッパー２の底部にほぼ沿った平坦な状態となる。また、エアコンプレッサ４は、ガイド体３を展開収縮させる駆動部である。
【００２６】  具体的には、ガイド体３は、伸縮自在で所望の強度を有する伸縮材（例えば、硬質ゴム材）で構成され、袋状・風船状で、底面がホッパー２の底部全面に沿って固定されている。そして、この実施の形態では、膨らんだ状態で略四角錐状となり、縮むと平坦になるように予め成型されている。また、このガイド体３は、圧縮空気の流入流出によって展開したり収縮したりする。
【００２７】  一方、エアコンプレッサ４は、圧縮空気（流体）を生成してガイド体３に供給するエア源（流体源）であり、ホッパー２の外側に配設され、空気配管４１を介してガイド体３と接続されている。そして、エアコンプレッサ４からガイド体３に圧縮空気が供給・流入されると、図１（ｂ）の符号３Ａに示すように、ガイド体３が膨らんで略四角錐状（略山形状）となり、ガイド体３から圧縮空気が完全に抜けると（流出すると）、図１（ｂ）の符号３Ｃに示すように、ガイド体３が縮んでホッパー２の底部にほぼ沿って平坦になる。
【００２８】  ここで、ガイド体３の強度は、塵芥１００が堆積しても破損したり変形したりしないように設定されている。また、堆積する塵芥１００の重量などに応じて、エアコンプレッサ４に代えて油圧源で駆動機構を構成し、圧縮空気に代って圧油をガイド体３内に供給してもよい。さらに、ガイド体３の底面がホッパー２の底部に固定されているが、ガイド体３自体に底面・底部を有さずに、ホッパー２の底部がガイド体３の底面を兼ねてもよい。
【００２９】  このようなガイド体３は、展開した状態でその頂部３１が、コンベア１０４から落下する塵芥１００のほぼ真下に位置するように、形成、配置されている。すなわち、この実施の形態では、上記のように、ホッパー２の平面上のほぼ中央部に塵芥１００が落下するため、図１（ａ）に示すように、ガイド体３の平面上のほぼ中央部に頂部３１が位置するように、形成、配置されている。
【００３０】  一方、ホッパー２の平面上のほぼ中央部に塵芥１００が落下しない場合には、その落下位置に頂部３１が位置し、偏った（傾いた）山形状にガイド体３が形成、配置される。
【００３１】  また、ガイド体３は、傾斜角（頂角）が異なる複数の略山形状に展開可能となっている。すなわち、エアコンプレッサ４から供給する圧縮空気の流入量（空気圧）を変えることで、ガイド体３が膨らんだ四角錐の高さが変わり、傾斜角が異なる複数の四角錐状に展開するようになっている。
【００３２】  ここで、圧縮空気の流入量を任意に変えることで四角錐の高さ、傾斜角が任意に変化するが、この実施の形態では、図１（ｂ）に示すように、最大・最高の第１の四角錐３Ａと、第１の四角錐３Ａの略半分の高さの第２の四角錐３Ｂとの２つの略山形状に展開可能とする。この第１の四角錐３Ａと第２の四角錐３Ｂは、コンベア１０４から落下した塵芥１００をホッパー２の側面２１側に案内し、かつ、その後縮んで塵芥１００が堆積した際に、ホッパー２内に塵芥１００が平均的に堆積するように、高さ、傾斜角が設定されている。
【００３３】  距離センサ５は、ホッパー２に配設され、ホッパー２内の塵芥１００の収容状態を検知するセンサである。すなわち、物体との距離を検知するセンサであり、例えば、物体に超音波や光（赤外線、レーザ等）を当てて、反射した超音波や光に基づいて物体までの距離を算出するもので、ホッパー２の上部開口２Ａの開口端縁の四隅にそれぞれ配設されている。このような各距離センサ５で、ホッパー２内に収容された塵芥１００までの距離を算出することで、ホッパー２内のどこにどのくらい塵芥１００が収容されたかを検知できるようになっている。
【００３４】  そして、エアコンプレッサ４は、距離センサ５の検出結果に基づいてガイド体３を展開収縮させる。すなわち、エアコンプレッサ４を制御する制御部（図示せず）と各距離センサ５とが通信自在に接続され、各距離センサ５からの検知結果（塵芥１００までの距離）が逐次制御部に送信される。そして、ガイド体３が展開した状態で、ホッパー２内に塵芥１００が所定の高さまで堆積すると（距離センサ５から塵芥１００までの距離が所定値に達すると）、制御部は、エアコンプレッサ４を制御してガイド体３内の圧縮空気を抜いてガイド体３を展開収縮させる。この際、遅くともコンベア１０４の先端部１０４ｂがホッパー２内の塵芥１００に接触する前に、ガイド体３を展開収縮させる。
【００３５】  また、各距離センサ５の検出結果であるホッパー２内の塵芥１００の収容状態などに応じて、ガイド体３を任意に展開収縮させてもよい。例えば、第１の四角錐３Ａの状態で、ホッパー２内に塵芥１００が第１の高さまで堆積すると、ガイド体３を収縮させて第２の四角錐３Ｂに展開し、その後、ホッパー２内に塵芥１００が第２の高さまで堆積すると、ガイド体３を完全に収縮させて平坦な状態３Ｃにする。さらに、塵芥１００の収容状態などに応じて、ガイド体３を小さく展開させた後に再度大きく展開してもよい。
【００３６】  次に、このような構成の固形物収容ホッパー用ガイド装置１および固形物収容ホッパー設備１０の動作・作用などについて説明する。
【００３７】  まず、ホッパー２に塵芥１００が収容されていない状態で、エアコンプレッサ４からガイド体３に圧縮空気を供給して、ガイド体３を第１の四角錐３Ａに展開する。この状態でコンベア１０４から塵芥１００が搬送されると、図３に示すように、コンベア１０４の先端部１０４ｂから落下した塵芥１００は、ガイド体３によってホッパー２の側面２１側に案内され、ホッパー２の側面２１側（外周側）に塵芥１００が堆積していく。
【００３８】  次に、距離センサ５によってホッパー２内の塵芥１００の収容状態が検知、監視され、ホッパー２内に塵芥１００が所定の高さまで堆積すると、エアコンプレッサ４が駆動制御されてガイド体３内の圧縮空気が抜かれる。例えば、図４に示すように、ガイド体３が完全に収縮してホッパー２の底部にほぼ沿った平坦な状態３Ｃになる。
【００３９】  これにより、ホッパー２の側面２１側に堆積していた塵芥１００の一部が、図示のように、ガイド体３の頂部３１に位置する部分（ホッパー２の平面上のほぼ中央部）に流れて、その部分が窪んで塵芥１００が堆積した状態となる。すなわち、塵芥１００が落下する部分（中央部）が低くその周り（側面２１側）が高くなるように、塵芥１００が流動して堆積する。
【００４０】  続いて、コンベア１０４から塵芥１００が落下すると、図示のように、窪んだ部分に塵芥１００が堆積して、ホッパー２内に塵芥１００が平均的に（高さの偏りがなくほぼ平坦に）堆積される。
【００４１】  以上のように、この固形物収容ホッパー用ガイド装置１および固形物収容ホッパー設備１０によれば、ガイド体３を展開させたり収縮させたりすることで、ホッパー２内に塵芥１００が平均的に堆積されるため、堆積した塵芥１００にコンベア１０４が接触するのを防止することができ、かつ、ホッパー２の容量を有効に利用することができる。また、ホッパー２内の塵芥１００の堆積状況を監視したり、山積みになった塵芥１００を人力で平坦化したりする必要がなく、作業員の作業時間と労力を著しく軽減することができる。この結果、作業員の安全性、健康面が向上するばかりでなく、作業員は、ダム放流等に専念することができる。しかも、コンベア１０４が塵芥１００に接触してコンベア１０４が故障、運転停止することが軽減されるため、発電取水を継続的・安定的に行って発電を良好に維持することが可能となる。
【００４２】  また、ガイド体３が展開した状態で、その頂部３１がコンベア１０４から落下する塵芥１００のほぼ真下に位置するため、コンベア１０４から落下した塵芥１００がホッパーの全側面２１側に平均的に案内され、塵芥１００がホッパー２内の外周２１側に平均的に堆積する。この結果、塵芥１００をホッパー２内により平均的に堆積させることが可能となる。
【００４３】  さらに、傾斜角が異なる複数の略山形状にガイド体３が展開可能なため、塵芥１００の種類や堆積状態などに応じてガイド体３の傾斜角や高さを変えることで、塵芥１００をホッパー２内により平均的に堆積させることが可能となる。
【００４４】  一方、距離センサ５で検出された塵芥１００の収容状態（堆積状態）に基づいて、エアコンプレッサ４によってガイド体３が自動的に展開収縮されるため、作業員が塵芥１００の収容状態を見てガイド体３を展開収縮させる必要がない。この結果、作業員の作業時間と労力を軽減することができるとともに、適正なタイミングでガイド体３を展開収縮させて、塵芥１００をホッパー２内により平均的に堆積させることが可能となる。
【００４５】  また、エアコンプレッサ４で構成された駆動機構からガイド体３に圧縮空気を供給して、ガイド体３に対して圧縮空気を流入流出させるだけでガイド体３が展開収縮するため、ガイド体３の展開収縮を適正かつ迅速、容易に制御することが可能となる。しかも、駆動機構をエアコンプレッサ４で構成してガイド体３に流体を流入流出させるだけでよいため、簡易に構成することができ、設備費や保守費を低減することが可能となる。
【００４６】  （実施の形態２）  図５、図６は、この実施の形態を示し、図５は、この実施の形態に係る固形物収容ホッパー用ガイド装置１および、この固形物収容ホッパー用ガイド装置１を備えた固形物収容ホッパー設備１０を示す正面図である。この実施の形態では、駆動機構がエアコンプレッサ４に代って油圧シリンダ６で構成されている点で、実施の形態１と構成が異なり、実施の形態１と同等の構成については、同一符号を付することでその説明を省略する。
【００４７】  油圧シリンダ６は、プランジャ（ピストン）６１とシリンダ本体６２とを備え、シリンダ本体６２は、ホッパー２の底部の外側（ホッパー２の下面）に配設されている。プランジャ６１は、シリンダ本体６２の軸方向に沿って往復動し、ホッパー２の底部（ガイド体３の底面）を貫通し、ホッパー２の平面上のほぼ中央部から上下に往復動するように配設されている。このようなプランジャ６１を覆うように伸縮自在なガイド体３が配設されている。
【００４８】  そして、油圧源（図示せず）からシリンダ本体６２に油圧を供給することで、プランジャ６１が上下動し、これに伴ってガイド体３が展開収縮する。例えば、プランジャ６１が上方に延びると、図５に示すように、ガイド体３が四角錐状に展開し、プランジャ６１が下方に完全に縮むと、図６に示すように、ガイド体３がホッパー２の底部にほぼ沿って平坦になる。この際、シリンダ本体６２からのプランジャ６１の突出長さを任意に変えることで、四角錐状のガイド体３の高さ、傾斜角を任意に変えることができる。
【００４９】  ここで、塵芥１００（固形物）の性状や重量などに応じて、必要な強度、剛性などが得られるように、実施の形態１と同様に、ガイド体３内に流体（圧縮空気や圧油）を満たしてもよい。すなわち、プランジャ６１でガイド体３を押し上げるとともに、ガイド体３内に流体を供給して、ガイド体３を四角錐状に展開してもよい。
【００５０】  このような実施の形態によれば、実施の形態１と同様に、堆積した塵芥１００にコンベア１０４が接触するのを防止することができ、かつ、ホッパー２の容量を有効に利用することができる。また、展開したガイド体３がプランジャ６１で支持されるため、ガイド体３の展開状態を良好に維持することができ、その結果、塵芥１００を適正に案内することができる。
【００５１】  以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ガイド体３が四角錐状に展開するが、ホッパー２の形状や固形物の大きさ、性状などに応じて、四角錐状以外の角錐状や円錐状など、その他の形状に展開するようにしてもよい。また、検知部を距離センサ５で構成しているが、カメラや近接スイッチ（所定の高さまで固形物が収容されるとスイッチがオンまたはオフするもの）などで構成してもよい。
【００５２】  さらに、ガイド体３を板材で構成して、機械的に展開収縮する機構にしてもよい。例えば、金属板が角錐状に展開したり、折り重なって平坦状に収縮したりするようにしてもよい。
【００５３】  また、実施の形態２において駆動機構を油圧シリンダ６で構成しているが、ラック（プランジャ６１に相当）とピニオン（シリンダ本体６２に相当）で構成したり、プランジャ６１を複数の管体で構成して収縮するようにしたりしてもよい。
【００５４】  ところで、上記の実施の形態では、距離センサ５で検知されたホッパー２内の塵芥１００の収容状態に基づいて、自動的にエアコンプレッサ４を制御してガイド体３を展開収縮しているが、作業員の判断でガイド体３を手動で展開収縮してもよい。また、固形物が取水スクリーン１０２に滞留した塵芥１００の場合について説明したが、その他の固形物、例えば、採石場の土石やコンクリートにも適用できることは勿論である。
【符号の説明】
【００５５】  １        固形物収容ホッパー用ガイド装置  １０      固形物収容ホッパー設備  ２        ホッパー  ２Ａ      上部開口  ２１      側面（側壁）  ３        ガイド体  ３１      頂部  ４        エアコンプレッサ（駆動機構）  ５        距離センサ（検知部）  ６        油圧シリンダ（駆動機構）  １００    塵芥  １０４    コンベア
【図１】
2017119053.tif 000003
【図２】
2017119053.tif 000004
【図３】
2017119053.tif 000005
【図４】
2017119053.tif 000006
【図５】
2017119053.tif 000007
【図６】
2017119053.tif 000008
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
上部開口を有するカップ状でコンベアで搬送された固形物が前記上部開口から落下して収容されるホッパーの底部に配設され、展開収縮が自在なガイド体と、
前記ガイド体を展開収縮させる駆動機構と、を備え、
前記ガイド体は、固形物の収容時に展開した状態から収縮した状態へと変化され、展開すると略山形状となり、前記コンベアから落下した固形物を前記ホッパーの側面側に案内し、収縮すると前記ホッパーの底部にほぼ沿った平坦な状態となり、前記ホッパーの側面側に堆積していた固形物の一部を前記ガイド体の頂部に位置する部分へ流動させる、
ことを特徴とする固形物収容ホッパー用ガイド装置。
【請求項２】
前記ガイド体は、展開した状態で頂部が、前記コンベアから落下する固形物のほぼ真下に位置する、
ことを特徴とする請求項１に記載の固形物収容ホッパー用ガイド装置。
【請求項３】
前記ガイド体は、傾斜角が異なる複数の略山形状に展開可能となっている、
ことを特徴とする請求項１または２のいずれか１項に記載の固形物収容ホッパー用ガイド装置。
【請求項４】
前記ホッパーに配設され、前記ホッパー内の前記固形物の収容状態を検知する検知部を備え、
前記駆動機構は、前記検知部の検出結果に基づいて前記ガイド体を展開収縮させる、
ことを特徴とする請求項１から３のいずれか１項に記載の固形物収容ホッパー用ガイド装置。
【請求項５】
前記ガイド体は、流体の流入流出によって展開収縮が自在で、
前記駆動機構は、前記ガイド体に流体を供給する流体源で構成されている、
ことを特徴とする請求項１から４のいずれか１項に記載の固形物収容ホッパー用ガイド装置。
【請求項６】
上部開口を有するカップ状でコンベアで搬送された固形物が前記上部開口から落下して収容されるホッパーを有する固形物収容ホッパー設備であって、
請求項１から５のいずれか１項に記載の固形物収容ホッパー用ガイド装置を備えたことを特徴とする固形物収容ホッパー設備。
【手続補正２】
【補正対象書類名】明細書
【補正対象項目名】０００７
【補正方法】変更
【補正の内容】
【０００７】
上記課題を解決するために、請求項１に記載の発明は、上部開口を有するカップ状でコンベアで搬送された固形物が前記上部開口から落下して収容されるホッパーの底部に配設され、展開収縮が自在なガイド体と、前記ガイド体を展開収縮させる駆動機構と、を備え、前記ガイド体は、固形物の収容時に展開した状態から収縮した状態へと変化され、展開すると略山形状となり、前記コンベアから落下した固形物を前記ホッパーの側面側に案内し、収縮すると前記ホッパーの底部にほぼ沿った平坦な状態となり、前記ホッパーの側面側に堆積していた固形物の一部を前記ガイド体の頂部に位置する部分へ流動させる、ことを特徴とする固形物収容ホッパー用ガイド装置である。
【手続補正３】
【補正対象書類名】明細書
【補正対象項目名】０００８
【補正方法】変更
【補正の内容】
【０００８】
この発明によれば、ガイド体は、固形物の収容時に展開した状態から収縮した状態へと変化されるものであり、ガイド体が展開した状態では、コンベアから落下した固形物がホッパーの側面側に案内され、ホッパーの側面側（外周側）に固形物が堆積する。次に、ガイド体が収縮してホッパーの底部にほぼ沿った平坦な状態となると、ホッパーの側面側に堆積していた固形物の一部がガイド体の頂部に位置する部分に流れて、その部分が窪んで固形物が堆積した状態となる。続いて、コンベアから固形物が落下すると、窪んだ部分に固形物が堆積して、ホッパー内に固形物が平均的に（高さの偏りがなくほぼ平坦に）堆積される。
【手続補正４】
【補正対象書類名】明細書
【補正対象項目名】００１４
【補正方法】変更
【補正の内容】
【００１４】
請求項１、６の発明によれば、固形物の収容時に、ガイド体を展開させた状態から収縮させた状態へと変化させることで、ホッパー内に固形物が平均的に堆積されるため、堆積した固形物にコンベアが接触するのを防止することができ、かつ、ホッパーの容量を有効に利用することができる。また、ホッパー内の固形物の堆積状況を監視したり、山積みになった固形物を人力で平坦化したりする必要がなく、作業員の作業時間と労力を著しく軽減することができる。
【国際調査報告】
2017119053.tif 000009
2017119053.tif 000010
2017119053.tif 000011
2017119053.tif 000012